(57)【要約】【課題】マルチタイプの空気調和機に複数台接続された各室内ユニットや室外ユニットの故障情報を使用者に分り易くお知らせする。【解決手段】運転の開始／停止を制御するマイコンを内臓する制御部７を備えた室内ユニット１と、前記室内ユニットと接続され、モーターの運転速度などを制御するマイコンを内臓する制御部９を備えた室外ユニット１１と、温度設定や風量設定などを行う操作部８と、現在の温度設定状況や風量設定状況を表示する表示パネル６と、音声ユニット５を備え、前記室内ユニットや前記室外ユニットと電線１０にて接続される集中コントローラー４において、前記室内ユニットや前記マルチタイプの室外ユニットで発生した故障情報や点検情報を、音声ユニット５より故障内容や点検内容に応じたコードナンバーや、故障や点検が発生した室外ユニット名もしくは室内ユニット名を、音声にて告知する故障お知らせ機能を備えた。【選択図】図１
2011185531.tif 000002
【特許請求の範囲】
【請求項１】
運転の開始／停止を制御するマイコンを内臓する制御部を備えたマルチタイプの空気調和機の室内ユニットと、前記マルチタイプの空気調和機の室内ユニットに接続され、モーターなどの運転速度を制御するマイコンを内臓する制御部を備えたマルチタイプの空気調和機の室外ユニットと、前記マルチタイプの空気調和機の室内ユニットや前記マルチタイプの空気調和機の室外ユニットに接続され、室内ユニット及び室外ユニットの運転の開始／停止、運転モード設定、設定温度や設定風量を１台のコントローラーにて集中指示を行い、現在の温度設定状況や風量設定状況を表示する表示パネルや、音声ユニットを備えた集中コントローラーにおいて、各室内ユニットや室外ユニットで発生した故障情報や、点検情報を音声にて告知する、故障お知らせ機能を備えたことを特徴とする空気調和機。
【発明の詳細な説明】
【技術分野】
【０００１】
本発明は、マルチタイプの空気調和機の室外ユニットや室内ユニットの故障情報や点検情報を音声で告知することにより、使用者が空気調和機の異常の発生を聴覚で素早く確認することが可能となる、ユニバーサルデザインに関する技術である。
【背景技術】
【０００２】
従来は図２に示すように、室外ユニットや複数台の室内ユニットが接続されるマルチタイプの空気調和機において、温度設定や風量設定などを行う操作部１８と、現在の設定温度や現在の設定風量を表示する表示パネル１９を備えた集中コントローラー１６が接続されたマルチタイプの空気調和機の室内ユニット１３や、マルチタイプの空気調和機の室外ユニット２１があり、室外ユニットや室内ユニットで発生した故障情報や点検情報が集中コントローラー１６の表示パネル１９に、各故障内容や点検内容に応じて予め割り当てられている英数字などを用いたコードナンバー１７が表示される。
【先行技術文献】
【特許文献】
【０００３】
【特許文献１】特開平０６−１８１５８８号公報
【発明の概要】
【発明が解決しようとする課題】
【０００４】
しかしながら前記従来の構成では、使用者に室外ユニットや室内ユニットで発生した故障情報や点検情報を告知する手段が、集中コントローラーの表示パネルに表示される英数字を用いたコードナンバーだけであるため、使用者が故障情報や点検情報の発生を確認するためには、集中コントローラーの表示パネルに視線を向ける必要があるため、故障情報や点検情報の発生に気付くのが遅くなる。そのため高齢者や視覚障害者には故障情報や点検情報の告知が分り難いものとなっている。
【０００５】
本発明は、前記従来の課題を解決するもので、使用者に素早く故障情報や点検情報の発生を知らせることができるとともに、使用者が高齢者や視覚障害者であっても、より容易にマルチタイプの空気調和機の故障情報や点検情報の発生に関する情報を得ることができ、多くの空気調和機使用者が故障情報や点検情報の発生に素早く気付くことができるようにすることを目的とする。
【課題を解決するための手段】
【０００６】
上記従来の課題を解決する為に、本発明の空気調和気は、運転の開始／停止を制御するマイコンを内臓する制御部を備えたマルチタイプの空気調和機の室内ユニットと、前記マルチタイプの空気調和機の室内ユニットと接続され、モーターの運転速度などを制御するマイコンを内臓する制御部を備えたマルチタイプの空気調和機の室外ユニットと、温度設定や風量設定などを行う操作部と、現在の温度設定状況や風量設定状況を表示する表示パネルと、温度設定や風量設定などの操作を行った時の操作内容を告知する音声ユニットを備え、前記マルチタイプの空気調和機の室内ユニットや前記マルチタイプの空気調和機の室外ユニットと電線にて接続される集中コントローラーにおいて、前記マルチタイプの空気調和機の室内ユニットや前記マルチタイプの室外ユニットで発生した故障情報や点検情報を、前記集中コントローラーの表示パネルに英数字を用いたコードナンバーを表示させるのに加え、前記集中コントローラーに設けた音声ユニットより、故障内容や点検内容に応じた英数字を用いたコードナンバーや、故障や点検が発生した室外ユニット名もしくは室内ユニット名を、音声にて告知する構成とするものである。
【発明の効果】
【０００７】
本発明のマルチタイプの空気調和気は、室内ユニットや室外ユニットで発生した故障情報や点検情報を集中コントローラーで受け、集中コントローラーに設けた表示部に英数字を用いたコードナンバーを表示するのに加え、集中コントローラーに設けた音声ユニットより発音で告知することにより、使用者がマルチタイプの空気調和機が故障しているもしくは、マルチタイプの空気調和機を点検する必要があるといった情報を聴覚にて入手でき、使用者が素早く状況を把握することができるとともに、高齢者や視覚障害者にもマルチタイプの空気調和機が故障しているもしくは、マルチタイプの空気調和機を点検する必要があるといった情報を容易に把握することができる。
【図面の簡単な説明】
【０００８】
【図１】本発明の実施の形態１における空気調和機の構成図
【図２】従来技術における空気調和機の構成図
【発明を実施するための形態】
【０００９】
本発明は、運転の開始／停止を制御するマイコンを内臓する制御部を備えたマルチタイプの空気調和機の室内ユニットと、前記マルチタイプの空気調和機の室内ユニットに接続され、モーターの運転速度などを制御するマイコンを内臓する制御部を備えたマルチタイプの空気調和機の室外ユニットと、前記マルチタイプの空気調和機の室内ユニットや前記マルチタイプの空気調和機の室外ユニットと電線にて接続され、温度設定や風量設定などを行う操作部と、現在の温度設定状況や風量設定状況を表示する表示パネルや音声を発音する音声ユニットを備えた集中コントローラーにおいて、各室内ユニットもしくは室外ユニットで発生した故障情報や点検情報により、故障内容や点検内容に応じた英数字を用いたコードナンバーや、故障や点検が発生した室外ユニット名もしくは室内ユニット名を、音声にて告知することで、使用者がマルチタイプの空気調和機が故障しているもしくは、マルチタイプの空気調和機を点検する必要があるといった、より詳しい情報を聴覚にて入手でき、使用者が素早く状況を把握することができるとともに、高齢者や視覚障害者にもマルチタイプの空気調和機が故障しているもしくは、マルチタイプの空気調和機を点検する必要があるといったより詳しい情報を容易に把握することができる。
【００１０】
（実施の形態１）
図１は、本発明の第１の実施の形態における空気調和機の構成を示す図である。
【００１１】
図１において、１はマルチタイプの空気調和機の室内ユニットＡ、２はマルチタイプの空気調和機の室内ユニットＢ、３はマルチタイプの空気調和機の室内ユニットＣ、４は集中コントローラー、５は音声ユニット、６は表示パネル、７はマルチタイプの空気調和機の室内ユニットＡの制御部、８は操作部、９はマルチタイプの空気調和機の室外ユニットＡの制御部、１０は電線、１１はマルチタイプの空気調和機の室外ユニットＡである。以上のように構成されたマルチタイプの空気調和機について、以下その動作、作用を説明する。
【００１２】
マルチタイプの空気調和機の室内ユニット１と、マルチタイプの空気調和機の室外ユニット１１が運転中もしくは停止中に、マルチタイプの空気調和機の室内ユニット１が故障もしくは点検が発生した場合、マルチタイプの空気調和機の室内ユニット１の制御部７から故障情報もしくは点検情報が電線１０を通じて集中コントローラー４へ送信される。マルチタイプの空気調和機の室内ユニット１からの故障内容もしくは点検内容により、集中コントローラー４の表示パネル６には、あらかじめ設定された英数字を用いたコードナンバー１２を表示するとともに、集中コントローラー４の音声ユニット５より故障内容や点検内容により「室内ユニットＡがＨ１１で停止しました、サービスへ連絡してください」
や「室内ユニットＢがＦ９９のため点検をおこなってください」といった様に、英数字を用いたコードナンバーや、故障や点検が発生した室内ユニット名を、音声にて告知する。
【００１３】
また、マルチタイプの空気調和機の室外ユニット１１が故障もしくは点検が発生した場合、マルチタイプの空気調和機の室外ユニット１１の制御部９から故障情報もしくは点検情報が電線１０を通じて集中コントローラー４へ送信される。マルチタイプの空気調和機の室外ユニット１１からの故障内容もしくは点検内容により、集中コントローラー４の表示パネル６には、あらかじめ設定された英数字を用いたコードナンバー１２を表示するとともに、集中コントローラー４の音声ユニット５より故障内容や点検内容により「室外ユニットがＨ１９で停止しました、サービスへ連絡してください」や「室外ユニットがＵ１３のため点検をおこなってください」といった様に、英数字を用いたコードナンバーや、故障や点検が発生した室外ユニット名を、音声にて告知する。
【００１４】
本発明は、音声ユニット５から発音する英数字を用いたコードナンバーや、故障や点検が発生した室外ユニット名もしくは室内ユニット名を、聴覚にて詳細な内容を把握することができ、高齢者や視覚障害者にも故障情報もしくは点検情報を容易に把握することができる。
【産業上の利用可能性】
【００１５】
以上のように、本発明にかかる空気調和機は、集中コントロールを行う場合に、機器毎に音声で告知することで、聴覚による情報の確認が容易となり高齢者、視覚障害者にも情報が認識しやすくなるので、集中コントロールを行う空気調和機以外にも、監視カメラ・業務用冷蔵庫・照明設備などの制御装置にも適用できる。
【符号の説明】
【００１６】
１  マルチタイプの空気調和機の室内ユニットＡ
２  マルチタイプの空気調和機の室内ユニットＢ
３  マルチタイプの空気調和機の室内ユニットＣ
４  集中コントローラー
５  音声ユニット
６  表示パネル
７  制御部
８  操作部
９  制御部
１０  電線
１１  マルチタイプの空気調和機の室外ユニットＡ
１２  コードナンバー
１３  マルチタイプの空気調和機の室内ユニットＤ
１４  マルチタイプの空気調和機の室内ユニットＥ
１５  マルチタイプの空気調和機の室内ユニットＦ
１６  集中コントローラー
１７  コードナンバー
１８  操作部
１９  表示パネル
２０  制御部
２１  マルチタイプの空気調和機の室外ユニットＢ
【図１】
2011185531.tif 000003
【図２】
2011185531.tif 000004